Podtech/llm-jp-corpus-v4-ja_patent huggingface dataset:
(57)【要約】【課題】乗り物乗車時、自他人の衣類等に直接濡れた傘が触れ、濡れてしまうことになる。また、乗り物乗車時、着席した場合、足と足の間に傘を挟む光景が見られるが衣類が濡れてしまうことになる。【解決手段】この傘袋を使用することにより直接、濡れた傘が接触することを防ぐことになり課題を解決することが出来る。この傘袋は傘の柄からかぶせるため傘を持ち上げる必要はなく混雑時にも対応することが可能であり、装着が容易である。また、前後面あるいは側面に切り込みを入れることによりそこから傘の取入れが可能になる。【選択図】図１
2004329806.tif 000002
【特許請求の範囲】
【請求項１】
（１）乗り物乗車時に濡れた傘に対し衣類等に直接接触することを防ぐため、傘の柄の部分から被せる袋。
【発明の詳細な説明】
【０００１】
【発明の属する技術分野】
傘の付属品
【０００２】
【従来の技術】従来、百貨店等では雨天時に商品が濡れることを防ぐために傘の先からビニール袋に入れている。
【０００３】
【発明が解決しようとする課題】乗り物乗車時、濡れた傘を直接、自他人の衣類等に触れることを防ぐ。
【図面の簡単な説明】
【図１】発明品の例を記した平面図である
【図２】発明品の使用例を記した平面図である
【符号の説明】
１
【図１】手で持つための穴を示す
２
【図１】発明品の中に傘を入れることを示す
３
【図１】側面が開くイメージを示す
４
【図２】手で持つことを示す
５
【図２】発明品の中に傘を入れることを示す
【図１】
2004329806.tif 000003
【図２】
2004329806.tif 000004
(57)【要約】【課題】暑い時などにリュックサックを使用すると背中が蒸れやすくなるのを防止する為にリュックサックと人体の間に空間を設けたリュックサックを提供する。【解決手段】リュックサック２と人体１の間にスペーサ３を設ける。【選択図】図１
2004329801.tif 000002
【特許請求の範囲】
【請求項１】
リュックサックと人体の間に空間を設けることにより蒸れにくくしたリュックサック。
【発明の詳細な説明】
【０００１】
【発明の属する技術分野】
本発明は、暑い時などにリュックサックを使用した時に背中が蒸れにくくする為にリュックサックと人体の間に空間を設けたものである。
【０００２】
【従来の技術】
従来は、リュックサックと人体の間に空間を設けたリュックサックはなかった。
【０００３】
【発明が解決しようとする課題】
暑い時などにリュックサックを使用すると背中が蒸れやすいという問題点があった。
【０００４】
【課題を解決するための手段】
リュックサック２と人体１の間にスペーサ３を設ける。
【０００５】
【発明の実施の形態】
以下、本発明の実施の形態について説明する。
（イ）．リュックサック２と人体１の間にスペーサ３を設ける。
【０００６】
【発明の効果】
リュックサック２と人体１の間のスペーサ３により出来た空間により人体からの熱及び汗が外に放出されやすくなるので背中が蒸れにくくなる。
【図面の簡単な説明】
【図１】本発明の使用状態を示す断面図である。
【符号の説明】
１人体
２リュックサック
３スペーサ
【図１】
2004329801.tif 000003
(57)【要約】【目的】透析前後の体重を測定できる人工透析用リクライニング椅子の提供。【構成】リクライニング椅子のフットレストの上面に体重測定装置を取り付け、フットレストを最も下げた状態で、患者がフットレストの上に立ち上がることによって体重を計測し、透析前後の体重差を記録することによって、透析の効果が判断できるように構成された、体重記録装置付きのリクライニング椅子。【選択図】        図１
2004329802.tif 000002
【特許請求の範囲】
【請求項１】
リクライニング椅子のフットレストの上面に体重測定装置を取り付け、フットレストを最も下げた状態で、患者がフットレストの上に立ち上がることによって体重を計測し、椅子のフレームに取り付けられた支柱もしくはアームレストに設けられた体重測定記録表示装置に測定値が送られ、記録表示することができるように構成された、体重記録装置付きリクライニング椅子。
【発明の詳細な説明】
【０００１】
【産業上の利用分野】
この発明は、人工透析患者のための体重記録装置付きの椅子に関する。
【０００２】
【従来の技術】
従来の人工透析患者のためのリクライニング式の椅子には、直接患者の体重を計測する装置がなく、人工透析の前後、別に設けられた体重計を利用して患者の体重を計測して人工透析の効果を判断することが必要であった。また、例えば車椅子に患者を乗せたまま体重の計測をする場合には、車椅子自体の重量に個体差があるため、正確に体重を測定することが困難であった。
【０００３】
【発明が解決しようとする課題】
人工透析患者が人工透析の前後に、体重を計測して人工透析の効果を判断する必要があり、その都度体重差を記録するなどの手続きが繁雑であったため、簡単に計測し記録できることが課題であった。
【０００４】
【課題を解決するための手段】
リクライニング椅子のフットレストの上面に体重記録装置を取り付け、フットレストを最も下げた状態で、患者がフットレストの上に立ち上がることによって体重を計測し、椅子のフレームに取り付けられた支柱もしくはアームレストに設けられた体重測定記録表示装置に測定値が送られ、記録表示することができるように構成する。
【０００５】
【実施例】
以下、本発明の具体的な実施例について、図面に沿って詳述する。
図１は、本発明の人工透析用リクライニング椅子の、最も起こした状態における体重測定時の側面図である。
図２は、本発明の人工透析用リクライニング椅子の、水平状態における透析時の側面図である。
【０００６】
人工透析用リクライニング椅子１のフットレスト２の上面には、体重測定用の電子式体重計３が設けられ、椅子１のフレーム４に取り付けられた支柱５に設けられた体重測定記録装置６に測定値が送られる。この体重測定記録装置６は、アームレスト７に取り付けてもよい。
【０００７】
体重測定記録装置６には、体重測定の手順表示、患者カード読取装置、体重測定記録表示、透析前後の体重差記録表示、計測時の年月日および時間表示などの各装置、ならびにこれらの記録を記録紙に印字する装置などが設けられる。
【０００８】
人工透析用リクライニング椅子１が車椅子のような移動式椅子の場合には、フットレスト２の下面に支持輪８が設けられ、患者９が体重計測のためにフットレストの上面の電子式体重計３の上に立ち上がった時の、車椅子後部が浮き上がって車椅子が不安定になることを防ぐとともに、移動時に段差を乗り越えられるようにする。
【発明の効果】
【０００９】
上記のように構成することにより、人工透析患者が人工透析の前後に体重を計測して、人工透析の効果を判断することが簡単かつ正確にできるようになる。
【図面の簡単な説明】
【図１】リクライニング椅子を最も起こした状態における体重測定時の側面図である。
【図２】リクライニング椅子の水平状態における透析時の側面図である。
【符号の説明】
（１）  リクライニング椅子
（２）  フットレスト
（３）  電子式体重計
（４）  椅子のフレーム
（５）  支柱
（６）  体重測定記録装置
（７）  アームレスト
（８）  支持輪
（９）  患者
【図１】
2004329802.tif 000003
【図２】
2004329802.tif 000004
(57)【要約】【課題】球状の物体を配置、観察、保管する場合に用いる、２つのコの字型をした部品の組みあわせによるディスプレイケースの構造を提供する。【解決手段】椀形のカーブ（５）と支持柱の側面部（８）を持つ支持柱（６）が付いてる台用コの字部（４）。これと球面形状（９）を持つカバー用コの字部（７）を交互に組み合わせる。台用コの字部（４）、とカバー用コの字部（７）の接触辺部（１）にはホゾ形状部（２）とホゾ差し形状部（３）がある。ケースが閉じた時にホゾ形状部（２）とホゾ差し形状部（３）が噛み合う。必要に応じ着脱可能である柱カバー（１０）を支持柱（６）に被せる。【選択図】    図１
2004329805.tif 000002
【特許請求の範囲】
【請求項１】
接触辺部（１）の一部または全体に複数カ所のホゾ形状部（２）とホゾ差し形状部（３）を付加した台用コの字部（４）、と同じ特徴を持つとカバー用コの字部（７）の一対からなるディスプレイケース。
【請求項２】
カバー用コの字部（７）の内側天井は球面形状（９）を持ち、また台用コの字部（４）には椀形のカーブ（５）を持つ支持柱（６）が付いている。
【請求項３】
台用コの字部（４）の内側底部と支持柱（６）は接合されていて、その位置は台用コの字部（４）の内側底部の対角線上にある。
【請求項４】
支持柱（６）の外側に柱カバー（１０）を被せる事で、球体以外の小物を置くことができる。
【発明の詳細な説明】
【０００１】
【発明の属する技術分野】
この発明は、主に、ボール等、不安定な球体形状を定まった位置に配置して、保護、観賞するための製品で、ディスプレイケースに関するものである。
【０００２】
【従来の技術】
従来より、ボール等、不安定な球体形状を何かのケースに入れて、保護、観賞するときに側面から見ると、支持柱の側面部（８）が大きく見え目障りだった。また少し大きめのボールなどを入れると台座との間に隙間ができてケースが盛り上がり、この結果接合辺同士に隙間があき、ディスプレイケースとしては不格好になっていた。更に観賞用としてだけでなく隙間からゴミが入ってくるので保護する機能も失われていた。
【０００３】
【発明が解決しようとする課題】
イ．ボール等、不安定な球体形状をお何かのケースに入れて、保護観賞するときに、支持柱側面がケースの側面に平行した位置に配置されているので、ケース側面から見ると、支持柱側面が大きく見え目障りだった。
ロ．少し大きめのボールなどを入れると台座のカーブと合わずにケースが盛り上がり、この結果接合辺同士に隙間があき、ディスプレイケースとしては不格好になっていた。
ハ．２つのコの字形を組み合わせてディスプレイ用の箱とする場合、互いに接触する辺のどこにもロック機構がないため、渋みがないと噛み合わせも緩くなり終いには中身の重さにたえきれず接触する辺がはずれ中身が落下することがあった。
本発明は、以上の欠点を解決するためになされたものである。
【０００４】
【課題を解決するための手段】
接触辺部（１）の一部または全体に複数カ所のホゾ形状部（２）とホゾ差し形状部（３）を付加した台用コの字部（４）、と同じ特徴を持つとカバー用コの字部（７）の一対からなるディスプレイケース。カバー用コの字部（７）の内側天井は球面形状（９）を持ち、また台用コの字部（４）には椀形のカーブ（５）を持つ支持柱（６）が付いている。台用コの字部（４）の内側底部と支持柱（６）は接合されていて、その位置は台用コの字部（４）の内側底部を四角形とみたときの対角線上にある。柱カバー（１０）は着脱可能で中に配置させる品物により使用する場合もある。
【０００５】
【発明の実施の形態】
本発明を使用するときは、台用コの字部（４）には椀形のカーブ（５）を持つ支持柱（６）が付いており、この上にボール等、不安定な球体形状を乗せる。次に内側天井が球面形状（９）を持つカバー用コの字部（７）を交互に組み合わせディスプレイケースとする。
台用コの字部（４）、とカバー用コの字部（７）の接触する辺にはホゾ形状部（２）とホゾ差し形状部（３）があるのでひとたび組み合わされた後は中身の重さで両者は外れることはない。球体以外の小物を置く場合は柱カバー（１０）を被せ平面を確保する。
【０００６】
【実施例】
以下、本発明の実施例をのべる。
（イ）台用コの字部（４）には椀形のカーブ（５）を持つ支持柱（６）が付いている。
（ロ）台用コの字部（４）の内側底部と支持柱（６）は接合されていて、台用コの字部（４）の内側底部を四角形とみたときの対角線上にある。
（ハ）カバー用コの字部（７）を交互に組み合わせディスプレイケースとする。
（ニ）カバー用コの字部（７）の内側天井は球面形状（９）を持つ。
（ホ）柱カバー（１０）は支持柱（６）をカバーするためのもので着脱可能である。
本発明は以上のような構造でこれを使用するときはボール等、不安定な球体形状を椀形のカーブ（５）を持つ支持柱（６）の上に乗せる。カバー用コの字部（７）と台用コの字部（４）を組み合わせディスプレイケースとする。ボール等、不安定な球体形状の曲面が椀形のカーブ（５）と同一でない場合でも、両者間に生じる隙間分の高さがカバー用コの字部（７）を押し上げようとするが、カバー用コの字部（７）には内側天井に球面形状（９）が施されているため、台用コの字部（４）との間に隙間ができてしまうことはない。また、椀形のカーブ（５）を持つ支持柱（６）は台用コの字部（４）の内側底部に接合されている。
この配置位置は、台用コの字部（４）の内側底部を四角形とみたときの対角線上にある。従って４つの側面からは支持柱の側面部（８）は小さく見える。この結果中に配置されたボール等、不安定な球体形物は視界を遮る障害が少なく見える。また球体形状以外の小物を配置させるために柱カバー（１０）を支持柱（６）に被せ平面を確保する。
【０００７】
【発明の効果】
球状の物体を配置、観察、保管する場合、２つのコの字型をした部品の組みあわせによる構造体において、中に配置する球状物体の表面カーブが支持柱の腕形カーブと多少異なっていても、接触する２つのコの字型をした部品同士に隙間を生じる事なく、また一度組み合わさると、辺に施されたホゾとホゾ差し形状で固定されるので中身の重さにより外れることはない。球体形状以外の小物を配置させる時には柱カバー（１０）を支持柱（６）に被せ平面を確保しこの上に置く。
本発明を使用することによって主にこのような目的を達成可能とするものである。
【図面の簡単な説明】
【図１】本発明の斜視組み図
【図２】従来品の側面図
【図３】本発明の組み状態図
【図４】本発明の側面図
【符号の説明】
１．接触辺部
２．ホゾ形状部
３．ホゾ差し形状部
４．台用コの字部
５．腕形のカーブ
６．支持柱
７．カバー用コの字部
８．支持柱の側面部
９．球面形状
１０．柱カバー
【図１】
2004329805.tif 000003
【図２】
2004329805.tif 000004
【図３】
2004329805.tif 000005
【図４】
2004329805.tif 000006
(57)【要約】      （修正有）【課題】魚焼きグリルの汚れを少なくし、焼き魚本来の味を損わず、魚以外の物でも魚臭くなく焼くことが出来、衛生的で経済的な、ガステーブルの魚焼きグリル用シートを得る。【解決手段】何メーターか巻いてあるアルミホイルシートに細い長方形の穴を空け、必要な長さだけをカットし、魚焼きグリルに敷いて使用する。【選択図】図１
2004329808.tif 000002
【特許請求の範囲】
【請求項１】
ガステーブルの魚焼きグリル用に、アルミホイルシートに金網と平行に長方形の穴を空ける。
【発明の詳細な説明】
【０００１】
【発明の属する技術分野】
魚焼きグリルの汚れを少なくする事と経済面、衛生面から考えたものです。
【０００２】
【従来の技術】
グリルに直接魚などをおいて焼くか、又は汚れにくいように、アルミホイルを敷いた上に魚をのせて焼く。最近は、アルミのトレーに丸穴空き、２・３枚１組で市販されています。
【０００３】
【発明が解決しようとする課題】
（イ）魚を焼いた後、グリルの汚れは、直接のせた網もトレーも洗いにくい事と魚独特の汚れが落ちにくい。
（ロ）汚れにくいようにアルミホイルを敷いても魚の水分、油等が表面に残るので焼きあがりがこんがりいかない。
（ハ）最近市販されているアルミのトレーは丈夫でしっかりしているが再度使用できないので経済的には無駄です。
【０００４】
【課題を解決するための手段】
アルミホイルシートに穴を空ける。
【０００５】
【本発明の実施の形態】
巻いて市販されているアルミホイルシートに長方形の穴を空けます。
【０００６】
【発明の効果】
（イ）焼き魚本来の味を損なわない。
（ロ）直接魚をのせていた網は、全く汚れません。
（ロ）魚以外の物でも魚臭くなく焼くことが出来る。
（ハ）グリル全体が汚れにくく簡単に洗える。
（ニ）魚を焼くたびに洗わなくてもよいので手間がかからない。
（ホ）衛生的で必要な分だけカット出来るので経済的。
【図面の簡単な説明】
【図１】本発明の穴空きクリーンホイルシートの図です。
【図２】本発明の穴空きクリーンホイルシートの使用法の図です。
【符号の説明】
１、市販の箱入れアルミホイル
２、巻いてあるアルミホイル
３、必要な長さをカットする
４、アルミホイルに穴を空けた部分
５、ガステーブル
６、グリルのトレー
７、金網
８、穴を空けたホイルシート
【図１】
2004329808.tif 000003
【図２】
2004329808.tif 000004
(57)【要約】【課題】スイッチング素子による発光素子の装飾的効果を十分に発揮できる身辺保護用装身具を提供すること。【解決手段】装身具本体に電源と、発光素子と、スイッチング素子とを有して成る装身具において、装身具本体（ペンダント本体１）が装飾部２と発光駆動部３とから成り、該装飾部２が中心部に花芯凹部４を設け、該花芯凹部４から盛り上がり頂部５を有して外端を曲げ下げ、各弁に放射状の乱反射部６を設けた複数弁の透光性の花弁７から成り、前記花芯凹部４に複数色に発光するＬＥＤ８をその頂面を前記頂部５と面一にして突出して成る。このほか、装飾部２が花芯凹部４から頂部５にかけて所要色がシャーベットトーンの色調に配色されて成る。【選択図】        図１
2004329833.tif 000002
【特許請求の範囲】
【請求項１】
装身具本体に電源と、発光素子と、スイッチング素子とを有して成る装身具において、
装身具本体が装飾部と発光駆動部とから成り、該装飾部が中心部に花芯凹部を配設し、該花芯凹部から盛り上がり頂部を有して外端を曲げ下げ、各弁に放射状の乱反射部を設けた複数弁の透光性の花弁からなり、前記花芯凹部に複数色に発光するＬＥＤをその頂面を前記頂部と面一にして突出して成る身辺保護用装身具。
【請求項２】
前記装身具本体の装飾部が、花芯凹部から頂部にかけて所要色がシャーベットトーンの色調に配色されて成る請求項１記載の身辺保護用装身具。
【発明の詳細な説明】
【０００１】
【発明の属する技術分野】
本発明は装身具の分野に属し、主として夜間において、装飾的な発光によって注意を喚起させ、交通事故などを未然に防止するための身辺保護用装身具に関する。
【０００２】
【従来の技術】
ペンダントやブローチなどに電源と、発光素子と、スイッチング素子とを内蔵し、夜間での発光によって注意を喚起させ、危険を未然に防止するイルミネーション装置が特開２００１−３０７５２１号公報に開示されているが、装飾効果の点で発光素子の能力を十分に発揮されていないものである。
【０００３】
【発明が解決しようとする課題】
そこで、本発明は、スイッチング素子による発光素子の装飾的効果を十分に発揮できる身辺保護用装身具を提供するものである。
【０００４】
【課題を解決するための手段】
すなわち、請求項１記載の身辺保護用装身具は、装身具本体に電源と、発光素子と、スイッチング素子とを有して成る装身具において、
装身具本体が装飾部と発光駆動部とから成り、該装飾部が中心部に花芯凹部を配設し、該花芯凹部から盛り上がり頂部を有して外端を曲げ下げ、各弁に放射状の乱反射部を設けた複数弁の透光性の花弁から成り、前記花芯凹部に複数色に発光するＬＥＤをその頂面を前記頂部と面一にして突出して成る。
また、請求項２に記載の身辺保護用装身具は、請求項１に記載の身辺保護用装身具において、前記装身具本体の装飾部が花芯凹部から頂部にかけて所要色がシャーベットトーンの色調に配色されて成る。
【０００５】
【発明の実施の形態】
装身具本体はペンダントやブローチが主たるものとして選択され、また装飾部の花弁に配色される所要色とは、一般的に表現された花の有する色が選択される。
【０００６】
【実施例】
本発明を一実施例により説明すると、図１に示すように、装身具本体であるペンダント本体１は、花を表現した装飾部２と発光駆動部３とから成り、該装飾部２の中心部には花芯凹部４が配設され、該花芯凹部４から盛り上がり頂部５を有して外端を曲げ下げ、各弁に放射状の乱反射部６を設けた複数弁の透光性で合成樹脂製の花弁７からなり、前記花芯凹部４には複数色に発光するＬＥＤ８をその頂面を前記頂部５と面一にして突出して成り、発光駆動部３は図２（ａ）に示すように、大径円盤９と小径円盤１０から成り、該大径円盤９の嵌合凹部１１には前記装飾部２の花弁７がその外周において嵌合され、該小径円盤１０の上円周には吊下部１２が突設され、該吊下部１２の吊下孔１３に取着された小リング１４に大リング状の首輪１５を挿通し、両端を雌金具１６と雄金具１７で接合して成り、前記小径円盤１０の内部には電源とスイッチング素子とスイッチ機構とが収納され、該スイッチ機構のスイッチは図２（ｂ）に示すように、該小径円盤１０の背面に突設されたスライドスイッチ１８によって入、切りされる。しかも、前記装飾部２には花芯凹部４から頂部５にかけて青色がシャーベットトーンの色調に配色されて成る。
【０００７】
このようにして成る身辺保護用装身具であるペンダントＡは、主として夜間の外出時に首に吊下され、スイッチＯＮの状態で使用される。
そうすると、発光駆動部３のスイッチング素子によってＬＥＤ８が複数色に発光するが、このとき、各花弁７に配設された乱反射部６で一層各発光色が際立ち、装飾的効果に優れたものである上、強烈に注意力を喚起させることとなって、夜間での存在をはっきりと視認させ、交通事故防止にも極めて有用となる。
なお、本発明のペンダントＡは愛犬などのペットの首輪に吊下されて、夜間の散歩時の身の安全を図るために使用され得るものである。このほか、緊急押しボタンとスイッチング素子による赤色のみの点滅と警報音との組み合わせによる防犯機能を付加したものとしても提供され得るものである。
【０００８】
【発明の効果】
以上のように本発明の身辺保護用装身具によれば、乱反射部によって発光色が装飾部全体を際立たせ、装飾的効果を十分に発揮できるものである。また、このことにより、強烈に注意力を喚起させることとなって交通事故防止にも極めて有用となる。
【図面の簡単な説明】
【図１】本発明に係わるペンダントＡの正面図である。
【図２】ペンダント本体１の説明図で、（ａ）はその右側面図であり、（ｂ）はその背面図である。
【符号の説明】
１  ペンダント本体
２  装飾部
３  発光駆動部
４  花芯凹部
５  頂部
６  乱反射部
７  花弁
８  ＬＥＤ
９  大径円盤
１０  小径円盤
１１  嵌合凹部
１２  吊下部
１３  吊下孔
１４  小リング
１５  首輪
１６  雌金具
１７  雄金具
１８  スライドスイッチ
Ａ  ペンダント
【図１】
2004329833.tif 000003
【図２】
2004329833.tif 000004
(57)【要約】【目  的】この発明は、美錠に取り付けられたビラとホック部分が一体になった美錠に関するものである。【構  成】美錠に取り付けられたビラの中央に周りから立ち上げた部分を４ヶ所作りその部分でホックのバネの役目をさせホックのゲンコと結合させて留める。【選択図】図１
2004329836.tif 000002
【特許請求の範囲】
【請求項１】
美錠に取り付けられたビラとホック部分が一体になったもの。
【発明の詳細な説明】
この発明は、美錠に取り付けられたビラとホック部分が一体になった美錠に関するものである。
従来のホック付き美錠はビラの部分にホックを取り付けたもので、ホックを購入する必要があり、またホックを取り付ける手間がかかる上にうまく取り付けないと使用中にはずれてしまうという欠点があった。    本発明は、その欠点を解消するために発明されたもので、これを図面で説明すれば美錠に取り付けられたビラの中央に周りから立ち上げた部分を４ヶ所作りその部分でホックのバネの役目をさせホックのゲンコと結合させ留める。この立ち上げは３ヶ所でも５ヶ所でも良く数には限りがない。また、素材は金属に限ることなく樹脂その他のものでも良い。
こうすることにより、ホックを後から取り付ける必要がなく安価で壊れる心配のないホック付き美錠を提供できる。
【図面の簡単な説明】
【図１】本発明の全体図
【図２】ビラ部分の側面図
【符号の説明】
１．美錠
２．ビラ部分
３．立ち上げ部分
【図１】
2004329836.tif 000003
【図２】
2004329836.tif 000004
(57)【要約】【課題】携帯用振動マッサージ器の使用時にたいし、手で持っていなければならない煩わしさを無くし、適度なマッサージ圧の基、広い範囲で利用できる利便性の高い携帯用振動マッサージ器を提供する。【解決手段】Ｕ字形に曲げ形成された挟み込みくちを持つ、板バネ（１）の内側に複数個の指圧子（５）と（６）を設け、外側両面に振動発生器（２）と、挟み込み口を開くためのアーム（３）と（４）を設け、さらにその挟み込み圧を調整するため取外し可能な弾性力のあるバンド（７）が、アーム（３）と（４）の間に張られていることを特徴とする。【選択図】図１
2004329837.tif 000002
【特許請求の範囲】
【請求項１】
Ｕ字型に曲げ形成された挟み込み口を持つ、板バネ（１）の内側に複数個の指圧子（５）と（６）を設け、外側両面には振動発生器（２）を固定し、更にその振動発生器（２）を覆う形で、板バネ（１）の挟み口を開くためのアーム（３）と（４）を設けて、成ることを特徴とする携帯用振動振動マッサージ器。
【請求項２】
アーム（３）の挟み込み口を、閉じる方向に力の加わる位置での最適なケ所に、弾力性のあるバンド（７）を輪の形状にして固定し、もう一方のアーム（４）にその輪を引っ掛ける事で、両アーム間に挟み込み圧力を加算させ、またこのバンド（７）は、アーム（４）にたいしては簡単に外したりも出来る機構となっており、このようなバンド（７）を有することを特徴とする請求項（１）から成る携帯用振動マッサージ器。
【発明の詳細な説明】
【０００１】
【発明の属する技術分野】
本発明はマッサージ器に関し、詳しくは振動を要する携帯用マッサージ器に関し、更に詳しくは人体の中の手、足，肩、首等の振動マッサージ器に関する。
【０００２】
【従来の技術】
従来手先、足先、腕，脚、肩、首等を施療しようとする携帯用振動マッサージ器においては、片手でマッサージ器を保持し、一方向より押し付けて使用するものや、二つに枝分かれしたアームの先端に指圧振動子を持ったものが有る。
【０００３】
【発明が解決しようとする課題】従来の携帯用振動マッサージ器においては、何れも使用中には人の手の補助が必要であったり、また単機種での利用範囲は少なく限定されたものである。本発明はマッサージ中たえず手で持たなければならない煩わしさを無くし、また変化の少ない適度のマッサージ圧の基で、その利用範囲を広くする事により、その利便性と経済性をも高めた、携帯用振動マッサージ器を提供することを課題とするものである。
【０００４】
【課題を解決するための手段】
請求項１においては、Ｕ字型に曲げ形成された挟み込み口を持つ、板バネ（１）の内側に複数個の指圧子（５）と（６）を設け、外側両面には振動発生器（２）を固定し、その振動発生器を覆う形で、板バネ（１）の挟み口を開くためのアーム（３）と（４）が設けて成ることを特徴とするものである。この構成により施療ケ所をしっかり挟み込み、手で持つ事無く取扱いも簡単な振動マッサージを可能とした。
【０００５】請求項２においては、アーム（３）に弾力性のあるバンド（７）を輪形を作るようにして固定し、もう一方のアーム（４）にその輪を引っ掛けその弾性力で挟み込み圧を強くしたり、またアーム（４）からバンド（７）を外すことで、挟み込み圧を小さくすることが出来ることを特徴とする。板バネ（１）のバネ圧とバンド（７）による弾性力を、合わせ使い分けする事により、Ｕ字に曲げ形成された板バネ（１）が、大きく口を開けた時と閉じた時との施療ケ所での挟み込み圧力差を小さくするとともに、被験者の好む挟み込み圧を指圧子（５）や（６）にもたらず調整機能をも有する。以上から巾広い利用範囲においても変化の少ない、適度の圧力を保った状態での振動マッサージを可能とした。
【０００６】
【発明の実施の形態】
以下本発明の実施の形態について説明する。図１は側面図、図２は平面図である。
【０００７】マッサージ器Ｍは、Ｕ字に曲げ形成された挟み込み口を持つ板バネ（１）の内側に複数個の指圧子（５）と（６）が適度の間隔をもって配列されている。板バネ１の両外面には、振動モータ等の振動発生器（２）を固定し、更にその上から振動発生器（２）を覆う形で、板バネ挟み口を開くためのアーム（３）と（４）が、指圧子（５）との間で板バネ（１）を挟んだ形で各々ネジ固定されている。
【０００８】アーム（３）の最適の位置にゴムバンド（７）が図５の（ａ）と（ｂ）に表すように輪を作って止められている。図５の（ａ）は矢視Ｃ−Ｃにおける断面図にて、ゴムバンド（７）をもう一方のアーム（４）に引っ掛けた状態を表し、（ｂ）は同断面図にてゴムバンド（７）を外した状態をあらわす。ゴムバンド（７）は複数本を束として取付け、利用数を自由に選別出来るものとしてをり、その中から被験者が一番好ましいと感じたゴム圧を自ら選択し、マッサージ施療出来るように構成されている。
【０００９】マッサージ器Ｍはアーム（３）と（４）を使って挟み込みの口を開き、施療ケ所を銜え込むようにして使用する。図６は口を開いた状態をあらわす。
【００１０】
【発明の効果】
請求項１においては、Ｕ字に曲げ形成された挟み込み口を持つ板バネの、内側に複数個の指圧子を配列し、外側に振動発生器挟み込み口を開く為のアームが付けられただけの単純構造となっている。この中の主フレームである板バネは類似サイズにあっても、比較的広い範囲の中で希望するばね定数を持ったものが作りやすいものであり、この板バネを利用する事で、マッサージ器の大きさに比べて、ふところの深い、また大きな開口を持つ、圧力差の少ない振動マッサジ器となっている。これらにより施療ケ所を深くしっかりと挟み込み、手で持っていなければならない煩わしさも無く、単機種での利用範囲も広いマッサージ器とする事を可能としたものである。
【００１１】請求項２においては、アームの一端に弾性力のあるバンドを輪形にして固定し、もう一方のアームとの間で引き合うように張ったり外したりできるようにしたものである。このバンドは数本の束にすることにより、さらに各施療ケ所の挟み込み圧力の差を小さく出来るとともに、マッサージ圧の若干の調整機能をも合わせもったものとなっている。
【図面の簡単な説明】
【図１】本発明実施の側面図である。
【図２】同上の平面図である。
【図３】同上の正面図である。
【図４】同上の矢視Ｂ−Ｂにおける断面図である。
【図５】（ａ）同上の矢視Ｃ−Ｃにおけるゴムバンド７を張った状態の断面図である。
（ｂ）同上の矢視Ｃ−Ｃにおけるゴムバンド７を外した状態の断面図である。
【図６】同上の口を開いたときの姿図である。
【符号の説明】
１  板バネ
２  振動発生器（振動モータ）
３  アームａ
４  アームｂ
５  指圧子ａ
６  指圧子ｂ
７  ゴムバンド
８  バンド押え
【図１】
2004329837.tif 000003
【図２】
2004329837.tif 000004
【図３】
2004329837.tif 000005
【図４】
2004329837.tif 000006
【図５】
2004329837.tif 000007
【図６】
2004329837.tif 000008
(57)【要約】【課題】背部及び座部を袋ベルト状のシート材を張設することにより、通気性がよく、特に夏場の発汗に有効であると共に、長さ調整が可能なため、自分に合った位置を保持し、かつ、エアークッションにより座りごこちもよく、安全でしかも使用者に負担なく移動できる車椅子を提供する。【解決手段】シートパイプ間にシートを張設した車椅子において、背部及び座部に、袋ベルト状の内部に空気を封入してなるシート材を所要間隔にて複数本張設してなることを特徴とする。【選択図】  図１
2004329832.tif 000002
【特許請求の範囲】
【請求項１】
シートパイプ間にシートを張設した車椅子において、背部及び座部に、袋ベルト状の内部に空気を封入してなるシート材を所要間隔にて複数本張設してなることを特徴とする車椅子。
【請求項２】
シート材内部に空気を入れるべく、空気口を設けてなることを特徴とする請求項１記載の車椅子。
【請求項３】
シート材に長さ調整具を設けてなることを特徴とする請求項１又は２記載の車椅子。
【請求項４】
座部の座枠の先端部を上方に突出し、略への字形に形成してなることを特徴とする請求項１、２又は３記載の車椅子。
【請求項５】
背部の背枠の中間部を前方に突出し、略湾曲状に形成してなることを特徴とする請求項１、２、３又は４記載の車椅子。
【発明の詳細な説明】
【０００１】
【発明の属する技術分野】
本発明は、座部と背部の通気性を良くすると共に、エアークッションにより座りごこちが良く、座った時の安定性に優れる車椅子に関するものである。
【０００２】
【従来の技術】
従来の技術として、一対のバックパイプ、フロントパイプ、レッグパイプ、シートパイプを有し、バックパイプ間にはバックレストを、バックパイプとフロントパイプ間にスカートガードを、レッグパイプ間にレッグレストを、シートパイプ間にシートを夫々張設した車椅子において、スカートガードをメッシュ材質で構成したことを特徴とする車椅子がある。（特許文献１参照）
【０００３】
また、別の従来技術として、車椅子の着座部または背もたれ部に装着して使用する車椅子用クッションであって、表面に波形突起が形成された柔軟表層材および前記柔軟表層材より硬質のマット材で形成された複数のクッション体と、通気性を有する素材で形成され複数の前記クッション体をそれぞれ出し入れ可能に収容可能な複数の袋状収容部を有する被覆材と、前記袋状収容部同士の境界部分に形成された折り曲げ部とを備えたことを特徴とする車椅子用クッションがある。（特許文献２参照）
【０００４】
【特許文献１】
実用新案登録第３０７９２５６号公報（請求項１、図２）
【特許文献２】
特開２００１−２３８９１５号公報（請求項１、図５）
【０００５】
【発明が解決しようとする課題】
上記前者の車椅子の場合、スカートガード及びレッグレストをメッシュ材質で構成しているもので、主に軽量化を図る目的で開発されたものである。
【０００６】
また、上記後者の車椅子用クッションは、座位の安定性に優れ、折り畳みも可能なもので、持ち運びに便利なように作られているがコスト高となり、通気性に問題があり、自分の体型に合せるための調整具を設けていない。
【０００７】
本発明は、上記の問題点に鑑みなされたもので、背部及び座部を袋ベルト状のシート材を張設することにより、通気性がよく、特に夏場の発汗に有効であると共に、長さ調整が可能なため、自分に合った位置を保持し、かつ、エアークッションにより座りごこちもよく、安全でしかも使用者に負担なく移動できる車椅子を提供するものである。
【０００８】
【課題を解決するための手段】
上記課題を解決するための手段として、シートパイプ間にシートを張設した車椅子において、背部及び座部に、袋ベルト状の内部に空気を封入してなるシート材を所要間隔にて複数本張設してなること。また、シート材内部に空気を入れるべく、空気口を設けてなること。さらに、シート材に長さ調整具を設けてなること。さらにまた、座部の座枠の先端部を上方に突出し、略への字形に形成してなること。その上、背部の背枠の中間部を前方に突出し、略湾曲状に形成してなることを特徴とする。
【０００９】
【発明の実施の形態】
車椅子１は、シートパイプ２間の背部３と座部４に、ベルト状の内部に空気Ｋを封入してなるシート材５を所要間隔にて複数本張設してなるもので、該シート材５は、両端をシートパイプ２に巻き付け、溶着等にて固定すると共に、中央部付近に凸凹テープによる長さ調整具５ａを設けてなるものである。
なお、シート材５には空気Ｋを入れるための弁５ｂを設けてあるが、例えば逆止弁等の形態のものを使用する。
【００１０】
上記のように形成した車椅子１は、長さ調整具５ａにより自分に合うように調整することにより座った時、体にフィットすると共に、十分な通気性を有することにより、発汗作用を促進し、特に夏場のムレを防止できるものである。
また、エアークッションにより、座りごこちのよさを提供できる。
【００１１】
つぎに、他の実施例を説明する。
車椅子２１は、座部２４の座枠６の先端部を上方に突出し、略への字形に形成し、背部２３の背枠７の中間部を前方に突出し、略湾曲状に形成し、上記車椅子１と同様にシート材２５を張設してなるもので座枠６の前方を上げ、背枠７の中間部を前方に出すことにより、体を安全に保持できるものである。
【００１２】
上記各実施例において、シート材の材質は、特に限定することはないが、合成樹脂製等がよい。
また、シート材の間隔も強度的な面を考えて決定すればよく、調整具も同様な機能を有するものであれば、特に限定しない。
さらに、弁についても、中の空気が漏れない形態のものであれば特に限定しない。
【００１３】
【発明の効果】
（１）、背部及び座部にベルト状のシート材を張設することにより、通気性がよく、体にフィットしやすいものである。
（２）、シート材に調整具を設けたことにより、自分に合った座部と背部を得ることができ、より一層体にフィットするものである。
（３）、座部の前方を上げることにより、一層体を安全に保持できるものである。
（４）、背部の中間を前に出すことにより、一層体を安全に保持できるものである。
【図面の簡単な説明】
【図１】本発明の第１実施例を示す車椅子の斜視図。
【図２】本発明の第１実施例を示す車椅子の要部の縦断正面図。
【図３】本発明の第１実施例を示す車椅子のシート材の弁の平面図。
【図４】本発明の第２実施例を示す車椅子の斜視図。
【図５】本発明の第２実施例を示す車椅子の使用例の側面図。
【符号の説明】
１―――車椅子
２―――シートパイプ
３―――背部
４―――座部
５―――シート材
５ａ――長さ調整具
６―――座枠
７―――背枠
【図１】
2004329832.tif 000003
【図２】
2004329832.tif 000004
【図３】
2004329832.tif 000005
【図４】
2004329832.tif 000006
【図５】
2004329832.tif 000007
(57)【要約】      （修正有）【課題】一つのさいふでは不可能な品目ごとの家計費の予算管理を可能にできるとともに、その日に必要な品目のみを持つことが出来る、かさばらないさいふを提供する。【解決手段】残高などを記入する用紙入りの独立した財布４が、数枚あり、それらを必要に応じて、何枚かを本体７の鋲６に差して１つのさいふとして使う。【効果】（イ）さいふを何個も、持ち歩かなくてもすむ。（ロ）さいふに出費を書き込めるので、残高が判りやすい。（ハ）封筒でないので、やぶれにくくかっこが良い。【選択図】図３
2004329813.tif 000002
【特許請求の範囲】
【請求項１】
残高などを記入する用紙入りの独立した財布が、数枚あり、それらを必要に応じて、何枚かを本体の鋲に差して１つのさいふとして使えるものである
【発明の詳細な説明】
【０００１】
【発明の属する技術分野】
現在の家庭管理の主流であるか経費を品目ごとにわける袋わけ専用の財布である
【０００２】
【従来の技術】
袋わけ専用の財布は、ありませんでした。なぜなら、かさばるからです
だから、銀行の封筒などで代用していました
【０００３】
【発明が解決しょうとしている課題】
これらには次のような欠点があった
（イ）さいふを何個も、持ち歩かなければならない
（ロ）さいふに出費を書き込めないので残高が判りずらい
（ハ）封筒だとやぶれやすいし、かっこが悪い
本発明は、これらの欠点を除くためになされたものです
【０００４】
【課題を解決するための手段】
品目ごとに分けられるように独立した財布（４）を作り出費を書き込めて残高が一目で確認できように（２）を設けて（３）を入れた
そして外出時には必要な品目の財布（４）を（７）の（６）に（４）の（１）を何枚か差し替えて持てる
【図１】
2004329813.tif 000003
【図２】
2004329813.tif 000004
【図３】
2004329813.tif 000005
【手続補正書】
【提出日】平成15年7月23日(2003.7.23)
【手続補正１】
【補正対象書類名】明細書
【補正対象項目名】図面の簡単な説明
【補正方法】追加
【補正の内容】
【図面の簡単な説明】
【図１】サイフの平面図
【図２】本体の立体図
【図３】本体の平面図
【符号の説明】
（１）本体に差し換えるための穴
（２）透明のビニールポケット
（３）残高表
（４）サイフ
（５）ファスナー
（６）本体にサイフの（１）を差し換えるための棒
（７）本体
(57)【要約】［課題］台所用ゴム手袋に新しいものを発明出願したが、それらを満足に使って貰うには、どうしても使用性の良いパウダーが必要であり、そのためには、使用後の洗濯に便利が良くなくてはならない。難点は洗濯後の乾燥法であったので、そこに工夫を出した。［解決手段］洗濯後の、台所用などのゴム製、軍手などのメリヤス製、服飾用や作業用などのの革製などの手袋の乾燥に用いる、板を、手（手首＋掌＋指）にその支持部分を足した形に、切り抜くか或いは打ち抜いて、それを両手分あるいは数両手分あるいはまた業務用はずっと多く、台に、立てて取付けて、洗濯後の手袋を被せて乾燥するのに用いる、グローブラックと呼ぶことにする、手袋干し。【選択図】なし【特許請求の範囲】
【請求項１】
洗濯後の、台所用などのゴム製、軍手などのメリヤス製、服飾用や作業用などの革製などの手袋の乾燥に用いる、板を、手（手首＋掌＋指）にその支持部分を足した形に、切り抜くか或いは打ち抜いて、それを両手分あるいは数両手分あるいはまた業務用はずっと多く、台に、立てて取付けて、洗濯後の手袋を被せて乾燥するのに用いる、グローブラックと呼ぶことにする、手袋干し。
【請求項２】
「請求項１」における「手にその支持部分を足した形」の部分を防錆性の針金で以て成形した、手袋干し。
【請求項３】
「請求項１」における「手袋干し」を出来るだけ一体的にプラスチック成形した、手袋干し。
【発明の詳細な説明】
【０００１】
［発明の属する技術分野］
主に、台所用などのゴム手袋の洗濯後の乾燥に用いる物干しである。
【０００２】
［従来の技術］
家庭の台所用ゴム手袋や医療用・介護用のゴム手袋などは洗濯した後干すのに良い方法が無く困ってきた。
【０００３】
［発明が解決しようとする課題］
私は、平成１４年１２月６日「水仕事用防濡袖化手袋」（特願２００２−３８３０４３）を出願しているので、どこかのゴム手袋メーカーに製造して貰い普及させたいと思っているが、手によくフィットするものは、何らかのパウダーを手に塗して着脱し易くしないと使い物にならない。
しかし、そうすると、使う度にゴム手袋の内側を洗濯しないと気持ちよく使えない。
しかし、現在、その洗ったものを上手く乾かす好い方法がない。従来は、物陰に吊るすなどして干していたが、一本の指だけで吊ると、他の指が垂れ曲がって乾きが悪くなる。
【０００４】
［課題を解決するための手段］
そこで、台所の適当な所に置いたり掛けたりして、洗濯後のゴム手袋を被せて乾かすことを思い付いた。
【０００５】
［発明の実施の形態］
そこで、本発明を発明した。それは、「特許請求の範囲」に簡潔に述記してある。
【０００６】
［発明の効果］
本発明によって、台所用ゴム手袋の普及はぐんと進むと思える。また、使い捨てていた医療用や介護用のものも特に介護用は現場で洗濯して再使用して貰うのに役立とう。また、食品工業用にも大いに役立てて貰えよう。これら業務用には、その人数を満たすものを特請したいと思っている。
先に述べたように、ゴム手袋にはどうしても使用性の良い滑性パウダーが必要である。現状では、ベビーパウダーしかないので、当面はそれを使って貰うしかないが、粒状とか吸湿性の程度とかをよく研究して立派なものを提供し、ゴム手袋の一層の普及に貢献したいと思っている。
本発明は、メリヤスなどの布製のものにも役立とう。工場などで大人数で使って貰う場合にも応えたい。
(57)【要約】      （修正有）【課題】ブラジャ−の形は立体的であるから従来の洗濯ネットでは型崩れを防ぐことはできない。しかしながら、手洗いをするのは手間がかかりすぎる。洗濯機で洗うことができ、型崩れも防げる洗濯ネットを提供する。【解決手段】ブラジャ−のカップに合うサイズの用具の本体２にブラジャ−をはさみ、伸縮ネッ４で固定する。これにより本体２の浮力効果が得られ、洗濯機洗いでも傷みは少なく、溝１の効果で汚れ落ちも良い。その上、伸縮ネット４の効果で固定されて、そのまま干すのに型崩れを最小限度に抑えることができる。【選択図】図１
2004329814.tif 000002
【特許請求の範囲】
【請求項１】
浮力があり適度な硬度の材質で作り形状はブラジャ−のカップサイズに合わせた変形のボ−ル型である。その本体にブラジャ−を包みこむようにして、本体に付属している伸縮性のあるネットで固定して、洗濯機で洗いそのまま干すための用具である
【発明の詳細な説明】
【０００１】ブラジャ−の型崩れを最小限度にできる用具である
【発明の属する技術分野】
【０００２】今までの洗濯ネットではカップではカップを固定していないので洗濯時には、もちろんだが脱水時にい型崩れをおこす場合が多い
【発明が解決しようとする課題】
【０００３】
【イ】浮力がないので弱水流にならないから他の洗濯物との分け洗いが必要になる
【ロ】洗濯時も脱水時もカップなどに型崩れをおこす
【ハ】ブラジャ−の形を固定しないで干すので型崩れが一段とひどくなる
本発明は、これらの欠点を克服するためにしたものです
【課題を解決するための手段】
【０００４】ブラジャ−のカップサイズに合わせたカップ型のボ−ル（２）にブラジャ−のカップを両側から包むようにはさむ図３そして（３）の穴から出ている（４）の伸縮ネット（４）で固定する図４のようにセットしてから洗濯機で洗い、用具にセットしたままで干し乾燥させる
本発明は以上のような構成にからなる洗濯兼乾燥用具である
【図１】
2004329814.tif 000003
【図２】
2004329814.tif 000004
【図３】
2004329814.tif 000005
【図４】
2004329814.tif 000006
【手続補正書】
【提出日】平成15年7月23日(2003.7.23)
【手続補正１】
【補正対象書類名】明細書
【補正対象項目名】図面の簡単な説明
【補正方法】追加
【補正の内容】
【図面の簡単な説明】
【図１】本体の立体図
【図２】本体の立体図
【図３】本体の立体図
【図４】本体の立体図
【符号の説明】
（１）本体全体につけた溝
（２）本体
（３）（４）のネットを差して固定させてる穴
（４）伸縮ネット
（５）ブラジャー
(57)【要約】【課題】自己の健康管理を一人一人が自ずから行えて、病気を治す主体の個人が発症前又は病状悪化前に自然治癒力を最大限利用した予防措置や日常生活改善による健康維持を行い、治療手段の提供者である医師に頼る時期を自らが判断出来るようにする事を目的とする。【解決手段】ある個人の検査項目毎の検査結果値を基に相対的な値の算出を自動的に行い、検査値の僅かな変化と兆候を確実に捕捉して症状変化の兆しをメッセージする。又、自動判定結果を基にインターネット検索を行い、健康改善又は健康維持の為の情報収集をリアルタイムに行う事によって、出来る限りの予防措置や日常生活改善による健康維持を行えるようにする。さらに、各種データと情報を医師と個人とが共有する事で上記課題を解決する。【選択図】    図３
2004329811.tif 000002
【特許請求の範囲】
【請求項１】
過去の検査結果値との比較を行う検査結果自動判定モジュール。
【請求項２】
検査結果自動判定結果のキーワードを使用したインターネット検索。
【請求項３】
本発明のコンピュータソフトウェアを使用した個人と医師のデータ共有。
【発明の詳細な説明】
【０００１】
【発明の属する技術分野】
本発明は、病気を治す主体である個人の自然治癒力を最大限利用する予防重視の健康管理システムに関するものである。
【０００２】
【従来の技術】
従来、病気を治す主体である個人が治療手段の提供者である医師の診断を受けるのは発症後又は病状悪化後である。又、従来の検査結果は、健康人集団の基準値を用いて検査項目毎にそれぞれ正常域であれば異常がないものとして個人に告げられている。
【０００３】
【発明が解決しようとする課題】
しかしながら、ある個人には個人差があり、ある検査結果値が一般的には正常な範囲として異常なしと判定されても、ある個人にとっては異常となる場合もあり、発症前又は病状悪化前に異常を察知して予防措置や日常生活改善による健康維持を行い、医師に頼る時期を自らが判断する事は困難であった。さらに、健康診断を行う医療機関と治療の為に通院する医療機関は必ずしも同じとは限らず、複数の医療機関で行った検査結果を個人と医療機関で共有する事は困難であった。
【０００４】
【課題を解決するための手段】
本発明は、ある個人の検査項目毎の検査結果値を基に相対的な値の算出を自動的に行い、検査値の僅かな変化と兆候を確実に捕捉して症状変化の兆しをメッセージする。又、自動判定結果を基にインターネット検索を行い、関連する情報を提供する事によって、出来る限りの予防措置や日常生活改善による健康維持を行えるようにする。さらに、そのデータと情報を医師と個人とが共有する事で上記課題を解決する。
【０００５】
【実施例】
本発明のコンピュータソフトウェアの概略構成を図１に示す。１００はＣＲＴ（ブラウン管）や液晶画面により構成される表示部で、各種データを画像と文字で表示する事が出来る。１０１はＰＣ（パーソナルコンピュータ）本体で、ＯＳ（オペレーティングシステム）としてウィンドウズ（登録商標）を搭載し、プログラムコードやデータを用いて各種処理を実行する。１０２、１０３は夫々キーボード、マウスで、各種の指示をＰＣ本体１０１に入力するデバイスとして用いられる。１０４はプリンタで、ＰＣ本体１０１から送信されてくるプリントデータを紙に印刷する。
【０００６】
本発明のコンピュータソフトウェアは、図２に示されるように、検査結果統一規格に準じた検査結果ファイルを読み込むと、まず健康人集団の基準値を用いて検査項目毎に検査結果値が正常域であるかどうかの自動判定を行い、正常域から外れていれば表示部１００にメッセージを発する。さらに、過去の検査結果値との比較を行い、一般的には正常な範囲内であっても、大きな変動がある場合又は正常域から外れる傾向にある場合には表示部１００にメッセージを発する。検査結果値の推移は表示部１００にグラフ表示する事も出来る。また、自動判定処理を行った結果を基にして、推奨する食材と調理方法と献立等をおススメ食べ物として、控えたほうが良い食材と調理方法と献立等をお控え食べ物として表示部１００に表示される。表示部１００の表示内容はプリンタ１０４から紙に印刷する事も出来る。
【０００７】
本発明のコンピュータソフトウェアは、図３に示されるように、前述の自動判定結果を基にインターネット検索を行い、健康改善又は健康維持の為の情報収集をリアルタイムに行って理解を深める事の手助けを行う。例えば、関連するキーワードと地域とを考慮して健康管理に役立つと思われる情報提供テレビ番組の検索を行い、個人の健康状態に関連したテレビ番組放送日、放送時刻、テレビ局等を表示部１００に表示する事が出来る。
【０００８】
本発明のコンピュータソフトウェアで蓄積したデータはフロッピー（登録商標）ディスク等への書き出しと読み込みをする事が出来るので、医師と個人が本発明のコンピュータソフトウェアを使用してデータを共有する事が出来る。例えば、個人が使用する本発明のコンピュータソフトウェアで健康診断等の結果を蓄積して、個人が治療の為に通院する際には蓄積したデータをフロッピー（登録商標）ディスク等へ書き出し、そのデータを医師が使用する本発明のコンピュータソフトウェアで読み込む事が出来る。また、治療の為に通院した医療機関の医師がそこで発生したデータをフロッピー（登録商標）ディスク等へ書き出し、そのデータを個人が使用する本発明のコンピュータソフトウェアで読み込む事で複数の医療機関で行った検査結果等のデータを個人と医療機関で共有する事が出来る。検査結果データ以外の各種データを前述の方法で共有してもよい。書き出すファイルは暗号化とパスワードによって本発明のコンピュータソフトウェア以外から内容を読み出す事は出来ないようにする事でセキュリティを施した。
【０００９】
【発明の効果】
自己の健康管理は一人一人が自ずから行えて医師に頼る時期を告知する本発明のコンピュータソフトウェアによって、患者の自然治癒力を最大限利用する予防重視の質の高い次世代療法を確立する事が出来る。
【図面の簡単な説明】
【図１】本発明のコンピュータソフトウェアの概略構成図を示す図である。
【図２】自動判定モジュールのフローチャートである。
【図３】インターネット検索の概略を示す図である。
【符号の説明】
１００  ＣＲＴ（ブラウン管）や液晶画面により構成される表示部
１０１  ＰＣ（パーソナル・コンピュータ）本体
１０２  キーボード
１０３  マウス
１０４  プリンタ
【図１】
2004329811.tif 000003
【図２】
2004329811.tif 000004
【図３】
2004329811.tif 000005
(57)【要約】【課題】米とぎ後の水切り作業の際、米をこぼさずしかも能率的且つ経済的に作業をできる様に、水切り孔つき飯ごうを提供する。【解決手段】かけごう（１）の両端部をカット（２）し、それを外ごうと嵌合させ、水抜き孔（３）を設けた事を特徴とする。【選択図】    図２
2004329852.tif 000002
【特許請求の範囲】
【請求項１】
かけごう（１）の縁をカット（２）し、水切り孔（３）を設けた飯ごう。
【発明の詳細な説明】
【０００１】
【発明の属する技術分野】
この発明は、かけごうの縁をカットし水切り孔を設けた、水切り孔つき飯ごうに関するものである。
【０００２】
【従来の技術】
従来は、水切りを行なう道具がなかったので、手を使って行なっていた。
【０００３】
【発明が解決しようとする課題】
そのために、次のような欠点があった。
（イ）指の隙間などから米がこぼれ、大切な食料を無駄にしていた。
（ロ）水が完全に切れないため、必然的に米とぎ回数が多くなり、水と時間を無駄にしていた。
本発明は、これらの欠点を解決するためになされたものである。
【０００４】
【課題を解決するための手段】
かけごう（１）の縁をカット（２）し、外ごう（４）と嵌合させ水切り孔（３）をつくる。
本発明は以上の構成からなる水切り孔つき飯ごうである。
【０００５】
【発明の実施の形態】
以下、本発明の実施の形態について設明する。
かけごう（１）両端部の縁をカット（２）し、それを外ごう（４）と、嵌合させる事により、両端部に３分の１円周分の中空円柱状の孔ができる。
本発明は、以上のような構造でこれを使用するときは、米と水の入った外ごう（４）にカット（２）したかけごう（１）を嵌合させ、かけごう（１）を上から手で押さえながら外ごう（４）を傾け水切りを行なえばよい。
【０００６】
【発明の効果】
飯ごうに米の通らない水切り孔が設けてあるので、米とぎ時の水切りが米をこぼす事なく簡単にできる。しかも飯ごうを逆さにして水切りを行なえるため、水を完全に切れるので米とぎ回数が少なくてすみ経済的である。
【図面の簡単な説明】
【図１】本発明かけごうの平面図である。
【図２】本発明かけごうと外ごうを嵌合させた状態の側面図である。
【符号の設明】
１  かけごう
２  カット部分
３  水切り孔
４  外ごう
【図１】
2004329852.tif 000003
【図２】
2004329852.tif 000004